(57)【特許請求の範囲】
【請求項１】
移動用のキャスタを有するベースフレームと、
前記ベースフレームに左右方向に離間して立設され、対向する内面側に前後方向に離間して設けられる２個の係止用スロットを有する左右一対の支柱と、
前後方向の中央部より後ろ側に配置される係止片が前記係止用スロットに差し込まれることによって前記一対の支柱の各々に着脱可能に係止される左右一対のスライドレールと、
前記一対のスライドレールに前後方向にスライド可能に支持されるトレイと、
を備え、
前記係止用スロットは、
上下方向に等間隔に複数設けられ、
前記一対のスライドレールは、
係止される前記係止用スロットが選択的に変更されることにより上下方向の位置が変更され、
前記トレイは、
底壁及び前記底壁を囲む立壁が平坦面により構成されるナースカート。
【発明の詳細な説明】
【技術分野】
【０００１】
本発明は病院で使用されるナースカートのトレイ装置に関する。
【背景技術】
【０００２】
ナースカートは、看護師がカートの天板にパソコン等を載せ、各患者用の薬剤や注射器，血圧計などを始めとする器材などをトレイに搭載したカートを押して各患者のベッド脇に移動し、夫々の患者に必要な種々の措置を施してナースセンターに戻るといった態様で使用される病院内看護師専用のカートであり、様々な型式のものが提案され、実用にも供されている。
【０００３】
公知のナースカートの一般的形態は、一例として説明すれば次のようなものである。
すなわち、４個のキャスタを平面から見て略長方形の各頂点部に備えた形態のベースフレームと、このフレームの左右側に直立された４本又は２本の支柱と、この支柱の上端部に昇降可能な、又は、高さ固定に設けられた天板と、この支柱において前記天板の下方からベースフレーム上面の間に架設された複数段のトレイとを備えた形態である。
【０００４】
公知のナースカートにおけるトレイは、ベースフレームの左右側に位置した２本又は４本の支柱に、各段のトレイをスライド可能に支持するためのスライドレールを複数段設け、このスライドレールに、トレイの左右側に形成した被支持部を支持させ前記レール上でトレイを前後にスライドできる形態で設けられたものが殆んどである。
【０００５】
上記の形態でカートに配設される各段のトレイがスライド可能に支持されている理由は、トレイに積載物を出入れしやすくするため、或は、ナースターミナルに各看護師とナースカートが集合したときのカート天板上のパソコンを使用するとき、看護師の脚とトイレの後端部が干渉することがないようにするためである。
【０００６】
しかし、上記トレイを前後スライド自在に支持するためのレールやトレイの縁に形成した被支持部が外部から見えるのは、見映えの点でも好ましくないため、その部のデザインに工夫を要するという問題が生じる。
【０００７】
一方、従来のトレイは、トレイに収容する薬剤や薬液、或は、包帯や体温計，血圧計などの器材を整理して収容するため、トレイ内部を複数区画に仕切ることができるように、トレイの周壁を形成する立壁の内側面や、この内側面と底壁上面に、前記仕切りのための仕切板を支持するスリットや凹溝などが設けられている。しかし、トレイの壁面にこのような凹凸やスリットなど面が平坦にならない要素があると、そこに塵埃が溜まって不衛生であり見映えの上でも好ましくなく、そのため頻繁に掃除することを余儀なくされるという難点が指摘されている。
【先行技術文献】
【特許文献】
【０００８】
【特許文献１】特許第４８４６３４５号公報
【特許文献２】特許第４３４５４５０号公報
【特許文献３】特開２０１０−１０５５４０号公報
【特許文献４】特開２０１９−１７９７３号公報
【発明の概要】
【発明が解決しようとする課題】
【０００９】
本発明は、上記の公知ナースカートにおけるトレイの現状における難点を解消したナースカート用のトレイ装置を提供することを、課題とする。
【課題を解決するための手段】
【００１０】
上記課題を解決するために、本発明は移動用のキャスタを有するベースフレームと、前記ベースフレームに左右方向に離間して立設され、対向する内面側に前後方向に離間して設けられる２個の係止用スロットを有する左右一対の支柱と、前後方向の中央部より後ろ側に配置される係止片が前記係止用スロットに差し込まれることによって前記一対の支柱の各々に着脱可能に係止される左右一対のスライドレールと、前記一対のスライドレールに前後方向にスライド可能に支持されるトレイと、を備え、前記係止用スロットは、上下方向に等間隔に複数設けられ、前記一対のスライドレールは、係止される前記係止用スロットが選択的に変更されることにより上下方向の位置が変更され、前記トレイは、底壁及び前記底壁を囲む立壁が平坦面により構成されるナースカートを提供する。
【００１１】
上記の本発明トレイ装置では、レール部の長さ方向の中点部位を、支柱の中心からナースカートの前方側（押進方向側、以下、同じ。）にオフセットして設けている。これはキャスタを備えたベースフレームにおいて、左右側の２本の支柱の位置が、ベースフレームに対し後方側へ多少寄せて（オフセット）して立設されているからである。トレイを支柱に対して前方側へオフセットして配置した構成とすることにより、ナースターミナルで天板上のパソコンの操作等をするとき看護師の脚がトレイ後端側と干渉することがない一方で、レール部に支持されるトレイとその中に収容された物品による荷重は、ベースフレームの略中心近傍に均等にかかるから、安定でもある。
【００１２】
本発明はトレイ装置において、前記トレイの左右の内側立壁と外側立壁が形成するガイド溝の長さと、このガイド溝に収まる前記レール部の長さの関係は、ガイド溝の長さとレール部の長さの差が、このトレイのスライドレール上でのスライド量になるので、レール部の長さは、トレイに実現させたい前後スライド量を、トレイのガイド溝の長さの中で実現できると共に、スライドエンドにおいてもトレイを安定に支持できる長さに設定する。また、支柱に対してオフセットして設けられるスライドレールにおけるレール部は、そのレール部の長さの中点部位が、ベースフレームの長さ方向の中点に一致ないしは近くになるように、その取付位置を設定することが好ましい。スライドレールが支柱に対してオフセットして設けられていても、トレイとそれに収容した物品の重量がベースフレームにバランスよくかかるようにするためである。
【発明の効果】
【００１３】
本発明は、ナースカート用のトレイ装置において、トレイの形態を、トレイ内部（収容部）に凹凸な面が全くない平坦面のみで形成したので、塵埃が付きにくく汚れ難いし、また、トレイの清掃も凹凸面がないから容易かつ短時間で清掃ができる。
また、トレイの側壁を内側立壁と外側立壁による二重壁状に形成し、この二重壁状部が形成するガイド溝に、トレイを支持するレール部を収容した形態にしたので、レール部が外部から全く見えず、トレイの外観体裁を良好にしてスマートにカート本体に架装することができる。
さらにトレイはこの支持状態において前，後にスライド可能であるから、トレイへの収容物の出入れに都合の良いベースフレームに関して前方位置又は後方位置を、トレイをスライドさせて選択できるほか、看護師がこのカートの天板上に置いたパソコン操作をするときなどにおいて、トレイの手前側端部（カートの押進方向から見た場合トレイの後端部）がその看護師の脚と干渉するのを回避するため、トレイを前方側へスライドさせることができる。
【図面の簡単な説明】
【００１４】
【図１】本発明トレイ装置の一例を備えたナースカートの斜視図。
【図２】図１のナースカートにおいてトレイを前方側へスライドさせた状態の側面図。
【図３】図２のナースカートにおいて、２段目のトレイを外してレール部を見える状態にした斜視図。
【図４】図３のナースカートにおいて、片側の支柱に３段のレール部が設けられている状態を説明するための斜視図。
【図５】トレイとレール部の関係を説明するための要部の拡大正断面図。
【発明を実施するための形態】
【００１５】
図１の本発明トレイ装置を備えたナースカート１は、上端部に天板２を備えた左右側の２本の支柱３Ｌ，３Ｒであって、両支柱３Ｌ，３Ｒの間に３段のトレイ４１，４２，４３を前後スライド可能に架設した支柱３Ｌ，３Ｒが、ベースフレーム５に立設された基本構造を有するものである。
【００１６】
すなわち、５は平面から見て大略Ｈ状をなすベースフレームで、該フレーム５の四隅には、４個の自在キャスタ９ａ〜９ｄが設けられている。なお、図１のナースカート１において、図１の右方がカートの押進方向に向いたこのカートの前方、図の右方がカートの後方とする。ここで、ベースフレーム５における左右側は２本の縦フレーム部５ｂ、左右の縦フレーム部５ｂ，５ｂを結合する貫材は横フレーム部５ａとする。横フレーム部５ａは縦クレーム部５ｂ，５ｂの長さに関してカートの後方寄りにオフセットして設けられている。また、縦フレーム部５ｂ，５ｂは、やや中高の浅いアーチ状に形成されている。横フレーム部５ａの中心部底面には、後述するストッパ１０の固定台５ｃが設けられている。
【００１７】
横フレーム５ａの中心部位の下面に設けた固定台５ｃには、足踏式のリンク機構によりストッパ当接部１０ｃが降下，上昇するストッパ１０が設けられている。このストッパ１０は、ナースカート１を停止させた位置で、下降ベダル１０ｆを踏込むとストッパ当接部１０ｃを下端に有するピストンロッド１０ｂがリンク機構の作用でバネ力（図示せず）に抗して降下されて床面に当接し、この状態がリンク機構の作用でロックされ、ナースカート１の押進を不能とする。このストッパ１０は、解除ペダル１０ｅを踏むと前記ロックが解除されてストッパ当接部１０ｃがバネ力で上昇するようになっている。
【００１８】
３Ｌ，３Ｒは前記ベースフレーム５において、横フレーム部５ａが設けられている部位の左右の縦フレーム部５ｂ，５ｂに立設した左，右の支柱である。この支柱３Ｌ，３Ｒは、下方の基礎部分に、昇降するロッド３ａ，３ｂが内装されており、ここでは右側の支柱３Ｒのロッド３ｂがガスシリング（図示せず）のロッドにより形成されて昇降自在である。図２，図３において、３ｃはガスシリンダのバルブ操作用のレバーである。
なお、左右の支柱３Ｌ，３Ｒにおいて、図の最上段のトレイ４１の下面側には、当該支柱３Ｌ，３Ｒを結合する貫材が設けられているが、この貫材はトレイ４１に隠れて見えない。
【００１９】
左右の支柱３Ｌ，３Ｒのロッド３ａ，３ｂの上端部には天板２の下面が固定されており、天板２は、ロッド３ｂが属するガスシリンダ（図示せず）の作用により、天板２の最上位置から最上位置の、例えば２００ｍｍ前後のストローク量の昇降ができるように設けられている。前記ガスシリンダは、右側の支柱３Ｒの基礎部分（下半側）に内装されている。上記の２００ｍｍのストローク量は一例であって、その数値は任意である。本発明では、天板２を最上位に上げた位置で、ナースターミナルを形成しているテーブル天板（図示せず）の上方にこの天板２をオーバハングさせ、天板２を最下位に下げた位置では前記ターミナルのテーブル天板の下方にこの天板２を入れることができるようにするため、上記ストローク量を採用した。これによって、天板２の高さを選択してナースカート自体をナースターミナルのテーブルにより近付けることができる。
【００２０】
天板２は、その手前側（図１の右方、図２，図３の左方）に、このナースカート１を押進（又は牽引も可）するためのグリップ６ａと両側の取付部６ｂから成るハンドル６を天板２の下面から取付部６ｂを介して後方へ突出する態様で設けている。このハンドル６には、金属パイプ成形品又は合成樹脂成形品による断面が略オーバル状乃至略長円状のグリップ６ａが断面姿勢を斜めにして設けられている。グリップ６ａが略オーバル状乃至長円状で斜めの姿勢であるのは、カートを押進するときの手の握り感、乃至は掴み感を手首の角度などに無理をさせない自然なものにすること、並びに、天板２の上においたパソコン（図示せず）を立姿勢で操作するときのアームレストとして機能することを狙ったからである。なお、２ａは天板２の下面に設けた断面幅広略Ｕ状をなす物入れである。
【００２１】
上記左右の支柱３Ｌ，３Ｒは、その対向する内面側の上下方向に、前後に並んだ係止用スロット７ａ，７ｂが等ピッチで列設されている。このスロット７ａ，７ｂは、後に述べる、この例では３段のトレイ４１，４２，４３を前後スライド自在に支持するための３段のスライドレール８１，８２，８３を支持するためのものである。各スロット７ａ，７ｂが等ピッチで列設されているのは、スライドレール８１，８２，８３８３の位置を自由に選択し変更できるようにするためである。
【００２２】
スライドレール８１，８２，８３は、すべて同じ構成であるから、ここではスライドレール８２の構成について、図３〜図５を参照して説明する。
２段目のスライドレール８２は、支柱３Ｌに形成されたスロット７ａ，７ｂに係止される略クランク状の係止片８２ａとこの係止片８２ａを上端部に備えた垂直向きの立壁によるブラケット部８２ｂと、前記立壁の下端部に連なるＬ字状断面の接続部８２ｃとこの接続部８２ｃから垂直に立上げられて（図４参照）、カートのベースフレーム５における縦フレーム５ｂの長さ方向に沿って延出形成された垂直向きの帯状部を有するレール部８２ｄを備えて形成されている。なお、レール部８２ｄには、接続部８２ｃを帯状部と同様に縦フレーム５ｂの長さ方向に延出させたタイプがある。図５に断面図で示したレール部８２ｄは、接続部８２ｃが帯状部と同様にベースフレーム５ｂに沿って長く形成されたタイプである。
他のスライドレール８１，８３についても、符号頭部の数字が異なるだけでレール８２の場合と同じアルファベット符号を有する符号で示される構成を備えている。
各スライドレール８１〜８３のレール部８１ｄ〜８３ｄの長さ（有効長さ）については、トレイ４１〜４３についての記述のあとに説明する。
【００２３】
各トレイ４１〜４３は、この例では浅底タイプ４１，４２と深底タイプ４３であり、浅底タイプの深さは約５０ｍｍ前後、深底タイプの深さは約１００ｍｍ前後であるが、トレイ４１〜４３の深さをどの程度にするかは任意である。また、トレイ４１〜４３を架設する段数も、スライドレール８１〜８３を、支柱３Ｌ，３Ｒの係止用スロット７ａ，７ｂへの係止を着脱するだけでよいから任意に増減が可能である。
【００２４】
本発明で用いるトレイの構成について、図５の浅底タイプのトレイ４２により説明する。トレイは、浅底タイプ，深底タイプとも基本構造は同じであり、底壁４２ａとこの底壁４２ａの外周を取り囲む内側立壁４２ｂと、内側立壁４２ｂの上端から壁面を略１８０度下向きに反転させて形成した外側立壁４２ｃとから成る。各トレイ４１〜４３の各壁面には凹凸や穴や溝が設けられない平坦面構成である。他のトレイも符号頭部の数字が異なるだけで後方のアルファベット符号は同じである。
【００２５】
ここで、深底タイプの外側立壁４３ｃの縦幅は、ここでは内側立壁４３ｂのほぼ１/２であるが、浅底タイプのトレイ４１，４２では、内側立壁４１，４２ｂと外側立壁４１ｃ，４２ｃとは、ほぼ同じ縦幅である。
すなわち、各トレイ４１〜４３の外側立壁４１ｃ〜４３ｃの縦幅は、各スライドレール８１〜８３のレール部８１ｄ〜８３ｄにおける垂直向きの帯状部を、その縦幅内に隠すことができる大きさに設定されているのである。
【００２６】
各トレイ４１〜４３の底壁４１〜４３ａの平面から見た大きさは、Ａ４サイズを平面姿勢で悠に収めることができる大きさであるが、この大きさは、カート本体のベースフレーム５の大きさなどの調整に対応して、任意の大きさのものに形成することができる。また、各トレイ４１〜４３は、その収容部を小区画に分けるための小区画トレイ４１ｘ，４２ｘ、４１ｙ，４２ｙを備えており、必要に応じて小区画トレイ４１ｘ〜４２ｙを用いる。図１の例では、トレイ４３に小区画トレイは用いられていない。また、小区画トレイの種類は、図示した例に限られるものではない。
【００２７】
各トレイ４１〜４３における各内側立壁４１ｂ〜４３ｂと各外側立壁４１ｃ〜４３ｃによって、各トレイ４１〜４３の長さ方向に沿って二重壁状のガイド溝が形成されたようになる。
そこで本発明では、各トレイの４１〜４３の長辺側のガイド溝を、左右の支柱３Ｌ，３Ｒのスロット７ａ，７ｂに装着したスライドレール８１〜８３における垂直な帯状部８１ｄ〜８３ｄに被せると、各帯状部８１ｄ〜８３ｄは、各トレイ４１〜４３の二重壁によるガイド溝の内側に収まってその溝に隠蔽されてしまうので、図１，図２に示すトレイの架装状態を実現できるのである。
【００２８】
図５に示した例では、各トレイ４１〜４３の外側立壁４１ｃ〜４３ｃの下端部はスライドレール８１〜８３におけるＬ字状の接続部８１ｃ〜８３ｃの水平辺の上面に当接してその面に支持され、その水平面の上をスライドするようになっている。従って、前記立壁４１ｃ〜４３ｃの下端部４１ｄ〜４３ｄは、下半側の断面を略円形にして、各スライドレール８１〜８３におけるレール部８１ｄ〜８３ｄの帯状部と一体の接続部８１ｃ〜８３ｃの水平辺の上面との接触を線接触となるようにし、スライド時の摩擦抵触を少なくしている。なお、レール部８１ｄ〜８３ｄの上端が、内，外側立壁４１ｂ〜４３ｂと４１ｃ〜４３ｃの境界部内面に当接する支持構造になるときは、帯状部の上端面を円形断面に形成して摩擦力の低減を図る。
【００２９】
本発明において、トレイ４１〜４３の長さ方向の二重壁部（内側立壁４１ｃ〜４３ｂと外側立壁４１ｃ〜４３ｃに挟まれた部分）の長さと、この二重壁部に収まるスライドレール８１〜８３における垂直な帯状部（レール部８１ｄ〜８３ｄ）の長さの関係は、スライドレール８１〜８３に支持されるトレイ４１〜４３が、その長さ方向でスライドさせたい前後スライド量を実現すること、並びに各トレイ４１〜４３が各スライドレール８１〜８３の上で前後のスライドエンドに位置しても、当該トレイ４１〜４３が安定に支持されることの双方を実現できる関係にあればよい。
【００３０】
例えば、各トレイ４１〜４３の長さ方向における内，外立壁による二重壁部の長さが４００〜４２０ｍｍ、スライドレール８１〜８３の帯状部８１ｄ〜８３ｄの長さが２５０〜２７０ｍｍであったとすると、各トレイ４１〜４３の前後ストロークの許容量は４００〜４２０ｍｍ−２５０〜２７０ｍｍ≒１３０〜１７０ｍｍになる。
そこで、スライドレール８１〜８３の取付位置を、例えば、ベースフレーム５における縦フレーム部５ｂの長さ方向での中点を基準にして当該スライドレール８１〜８３におけるレール部８１ｄ〜８３ｄの中点が位置するように設定するとき、まず各トレイ４１〜４３をカートの前方側と後方側とで前記ストローク許容量をどのように内分するかを決め、次いでこの内分したストローク量を実現できるようにスライドレール８１〜８３のレール部８１ｄ〜８３ｄの長さを決め、そして支柱３Ｌ，３Ｒに対するオフセット量を形成できる位置にブラケット部８１ｂ〜８３ｂを設ければよい。
【００３１】
本発明においては、上記スライドレール８１〜８３のブラケット部８１ｂ〜８３ｂとレール部８１ｄ〜８３ｄとを、ビス止め等により接合位置を変更できる接合・分離タイプに形成しておくと、変更できる範囲内でスライドレール８１〜８３のベースフレーム５に対するレール部８１ｄ〜８３ｄの取付位置を可変にできる。また、レール部８１ｄ〜８３ｄも、その帯状部の長さを可変タイプにしておけば、全体のストローク量の調節、或は、前方スライド又は後方スライドでのストローク量を調整できる。
【００３２】
本発明トレイ装置は以上の通りであるから、ナースカートのトレイ装置としてきわめて有用である。
【符号の説明】
【００３３】
１    ナースカート
２    天板
３Ｌ，３Ｒ  左右の支柱
４１〜４３  トレイ
４１ａ〜４３ａ  トレイの底壁
４１ｂ〜４３ｂ  トレイの内側立壁
４１ｃ〜４３ｃ  トレイの外側立壁
５    ベースフレーム
６    ハンドル
６ａ    グリップ
７ａ，７ｂ  スライドレールの係止用スロット
８１〜８３  スライドレール
８１ａ〜８３ａ  ブラット部の係止片
８１ｂ〜８３ｂ  ブラケット部
８１ｃ〜８３ｃ  レール部の接続部
８１ｄ〜８３ｄ  レール部
９ａ〜９ｄ  キャスタ
１０  ストッパ
【図１】
0006051266.tif 000002
【図２】
0006051266.tif 000003
【図３】
0006051266.tif 000004
【図４】
0006051266.tif 000005
【図５】
0006051266.tif 000006